(57)【要約】      （修正有）【課題】タッチパネル部の動作確認に要するコストを削減することができるせり装置を提供する。【解決手段】せり装置５の、制御ユニット３において、タッチパネルテスト制御部３ａは、タッチ部２ａをタッチパネル部１ｂに接触させる。検知機能判定部３ｂは、タッチパネル部１ｂとタッチ部２ａとの接触状況を表す接触情報４に基づき、タッチパネル部１ｂの検知機能の有効性を判定する。これにより、せり装置５のタッチパネル部１ｂの有効性を、タッチパネル部１ｂに実際にタッチすることなく即時に判定することができる。【選択図】図１
2019101621.tif 000002
【特許請求の範囲】
【請求項１】
画像を表示する表示部と前記表示部に設置されたタッチパネル部とを備える表示ユニットと、
前記タッチパネル部に接触するタッチ部を備えるタッチパネルテストユニットと、
前記タッチ部を前記タッチパネル部に接触させるタッチ制御部と、前記タッチパネル部と前記タッチ部との接触状況を表す接触情報に基づき、前記タッチパネル部の接触検知機能の有効性を判定する検知機能判定部と、を有する制御ユニットと、
を備えるせり装置。
【請求項２】
前記接触情報は、
前記タッチパネル部に対して前記タッチ部が接触したか否かを表すタッチ接触情報と、
前記タッチパネル部が前記タッチ部の接触を検知したか否かを表す被接触情報と、
を含む、
請求項１に記載のせり装置。
【請求項３】
前記制御ユニットは、
前記タッチ制御部により前記タッチ部を移動させる前に、前記タッチ部を接触させる接触領域をあらかじめ含む第１画面を前記表示部に表示させる、
請求項１または２に記載のせり装置。
【請求項４】
前記制御ユニットの前記検知機能判定部は、
前記タッチ接触情報が前記タッチパネル部に対して前記タッチ部が接触したことを表し、前記被接触情報が前記タッチパネル部に対する前記タッチ部の接触を検知したことを表す場合に、
前記タッチパネル部の接触検知機能が有効であることを判定する、
請求項３に記載のせり装置。
【請求項５】
前記制御ユニットは、前記表示部が前記第１画面を表示している際に前記接触領域の前記タッチパネル部に対する前記タッチ部の接触により前記検知機能判定部が前記タッチパネル部の接触検知機能を有効であると判定すると、
前記表示部に前記第１画面から前記第１画面と異なる第２画面を表示させる、
請求項４に記載のせり装置。
【請求項６】
前記制御ユニットの前記検知機能判定部は、
前記タッチ接触情報が前記タッチパネル部に対して前記タッチ部が接触したことを表し、前記被接触情報が前記タッチパネル部に対する前記タッチ部の接触を検知していないことを表す場合に、
前記タッチパネル部の接触検知機能が無効であることを判定する、
請求項３に記載のせり装置。
【請求項７】
前記制御ユニットは、前記表示部が前記第１画面を表示している際に前記接触領域の前記タッチパネル部に対する前記タッチ部の接触により前記検知機能判定部が前記タッチパネル部の接触検知機能を無効であると判定すると、
前記表示部に前記第１画面から前記第１画面と異なる第３画面を表示させる、
請求項６に記載のせり装置。
【発明の詳細な説明】
【技術分野】
【０００１】
本発明は、せり装置に関する。
【背景技術】
【０００２】
中古車等のオークションでは、所定の端末から応札を行うことができるせりシステムが利用されている。このようなせりシステムでは、出品者が出品する出品物（中古車）の情報（年式、車名、走行距離、画像（映像）等）を設定する出品情報管理装置と、出品情報管理装置から設定された出品物（中古車）の情報を受信する出品情報受信サーバとを有している。さらに、せりシステムは、出品情報受信サーバからオークションの出品物の情報を受け付けて、当日のスケジュールに沿ってせり情報を装置に通知するせりサーバと、せりサーバに接続されてせり情報が、会員である購買人に提供されるせり装置とを有している（例えば、特許文献１を参照）。
【０００３】
この場合、購買人は、せり装置のタッチパネルがされたモニタで出品物を視認する。そして、購買人は、出品物の情報を確認する場合にはタッチパネルの所定位置をタッチして、出品物の詳細を知ることができる（例えば、特許文献２を参照）。
【０００４】
また、せり対象が例えば中古車のせり会場では、会場の規模によっては数百から数千台のせり装置が設置されており、大勢の購買人によるせりが同時に実施される。
上記のような中古車のせり会場では、稼働日の開場前にせりシステムを起動し、全てのせり装置の動作確認を行う必要がある。この際、せり装置に含まれるタッチパネル部の動作確認が管理者により実際にタッチされて行われる。そして、動作不良が確認されたタッチパネルは良品に交換され、または、動作不良のタッチパネルを含むせり装置の利用を中止させる等の対応が図られている。
【先行技術文献】
【特許文献】
【０００５】
【特許文献１】特開２０１３−１６１３６８号公報
【特許文献２】特開２０１５−２０１１４１号公報
【発明の概要】
【発明が解決しようとする課題】
【０００６】
しかし、せり会場には、既述の通り、数百から数千台のせり装置が設置されているため、せり装置のタッチパネル部をそれぞれタッチして動作確認を行うには多くの時間または人手等のコストを要する。
【０００７】
本発明は、このような点に鑑みてなされたものであり、タッチパネル部の動作確認に要するコストを削減することができるせり装置を提供することを目的とする。
【課題を解決するための手段】
【０００８】
本発明の一観点によれば、画像を表示する表示部と前記表示部に設置されたタッチパネル部とを備える表示ユニットと、前記タッチパネル部に接触するタッチ部を備えるタッチパネルテストユニットと、前記タッチ部を前記タッチパネル部に接触させるタッチ制御部と、前記タッチパネル部と前記タッチ部との接触状況を表す接触情報に基づき、前記タッチパネル部の接触検知機能の有効性を判定する検知機能判定部と、を有する制御ユニットと、を備えるせり装置が提供される。
【発明の効果】
【０００９】
開示の技術によれば、タッチパネルの検知機能の確認のための管理者による煩雑な作業の発生を減らして、管理者に対するサービスの向上を図ることができる。
【図面の簡単な説明】
【００１０】
【図１】第１の実施の形態のせり装置を説明する図である。
【図２】第２の実施の形態のせりシステムを説明する図である。
【図３】第２の実施の形態のせり装置のハードウェア構成の一例を説明する図である。
【図４】第２の実施の形態のせり装置の一例を示す正面図である。
【図５】第２の実施の形態のせり装置の一例を示す上面図である。
【図６】第２の実施の形態のせり装置のタッチパネルテストユニットの動作を説明する図である。
【図７】第２の実施の形態のせり装置のタッチパネルテストユニットの回転機構を実現する回路図である。
【図８】第２の実施の形態のせり装置のモータの回転機構を実現する回路図である。
【図９】第２の実施の形態の保守管理装置のハードウェア構成の一例を示す図である。
【図１０】第２の実施の形態のせりシステムで実行されるタッチパネルテスト処理を示すフローチャートである。
【図１１】第２の実施の形態の保守管理装置の管理画面の表示例を示す図である。
【図１２】第２の実施の形態の保守管理装置のタッチパネルテスト状態画面の表示例を示す図（その１）である。
【図１３】第２の実施の形態の保守管理装置のタッチパネルテスト状態画面の表示例を示す図（その２）である。
【図１４】第２の実施の形態のせり装置で実行されるタッチパネル有効性判定処理を示すフローチャートである。
【図１５】第２の実施の形態のせり装置のタッチパネルテスト結果に応じた表示例を示す図（その１）である。
【図１６】第２の実施の形態のせり装置のタッチパネルテスト結果に応じた表示例を示す図（その２）である。
【発明を実施するための形態】
【００１１】
以下、図面を参照して、実施の形態について説明する。
［第１の実施の形態］
まず、第１の実施の形態のせり装置について図１を用いて説明する。
【００１２】
図１は、第１の実施の形態のせり装置を説明する図である。
なお、図１（Ａ）は、せり装置５の構成を、図１（Ｂ）は、接触情報をそれぞれ示している。
【００１３】
せり装置５は、例えば、せり会場に複数設置されて、出品物並びに出品物の情報が表示されて、購買人からの応札操作を受け付ける。このようなせり装置５は、表示ユニット１と、タッチパネルテストユニット２と、制御ユニット３とを有している。
【００１４】
表示ユニット１は、画像を表示する表示部１ａと表示部１ａに設置されたタッチパネル部１ｂとを備える。表示部１ａに表示される画像は、出品物、出品物の情報等である。
タッチパネルテストユニット２は、タッチパネル部１ｂに接触するタッチ部２ａを備える。タッチ部２ａは、例えば、棒状等の先端部に導体等が取り付けられている。タッチパネルテストユニット２の機構により、タッチ部２ａの先端部がタッチパネル部１ｂに接触（タッチ）させられる。
【００１５】
制御ユニット３は、せり装置５全体を制御しており、出品物並びに出品物の情報を外部のサーバ（図示を省略）から受け付けて、表示ユニット１に表示させる。また、制御ユニット３は、購買人から表示ユニット１が受け付けた応札操作を受け付けて、外部の応札を管理するサーバに通知する。このような制御ユニット３は、タッチパネルテスト制御部３ａと検知機能判定部３ｂとを有している。
【００１６】
タッチパネルテスト制御部３ａは、タッチパネル部１ｂから離間した状態のタッチ部２ａを移動させて、タッチ部２ａをタッチパネル部１ｂに接触させる。
検知機能判定部３ｂは、タッチパネル部１ｂとタッチ部２ａとの接触状況を表す接触情報４に基づき、タッチパネル部１ｂの検知機能の有効性を判定する。
【００１７】
接触情報４は、例えば、タッチパネル部１ｂに対してタッチ部２ａが接触したか否かを表すタッチ接触情報４ａと、タッチパネル部１ｂがタッチ部２ａの接触を検知したか否かを表す被接触情報４ｂと、を含んでいる。
【００１８】
また、検知機能判定部３ｂは、タッチパネルテストユニット２で得られたタッチ接触情報４ａをタッチパネルテスト制御部３ａを経由して取得し、また、タッチパネル部１ｂで得られた被接触情報４ｂを取得する。
【００１９】
なお、タッチ接触情報４ａ及び被接触情報４ｂは、図１（Ｂ）では、適切に接触している場合を示す際には「〇」で、接触していない場合を示す際には「×」でそれぞれ表される。さらに、これらの結果を踏まえたタッチパネル部１ｂの検知機能の有効性についても、有効である場合には「〇」で、無効である場合には「×」でそれぞれ表される。
【００２０】
次に、このようなせり装置５のタッチパネル部１ｂに対するタッチパネルテスト方法について説明する。
まず、管理者はせり装置５を起動して、タッチパネルテストを実行させる。すると、制御ユニット３のタッチパネルテスト制御部３ａは、タッチパネルテストユニット２を駆動させて、タッチパネル部１ｂから離間した状態のタッチ部２ａをタッチパネル部１ｂに接触させる。
【００２１】
そして、制御ユニット３の検知機能判定部３ｂは、タッチパネル部１ｂとタッチ部２ａとの接触状況を表す接触情報４（タッチ接触情報４ａ及び被接触情報４ｂ）に基づき、タッチパネル部１ｂの検知機能の有効性を判定する。
【００２２】
例えば、図１（Ｂ）に示されるように、タッチ接触情報４ａが、タッチパネル部１ｂに対してタッチ部２ａが正常に接触した場合（「〇」）であり、被接触情報４ｂが、タッチパネル部１ｂがタッチ部２ａの接触を正常に検知した場合（「〇」）には、検知機能判定部３ｂは、タッチパネル部１ｂの検知機能が有効であること（「〇」）を判定する。
【００２３】
また、タッチ接触情報４ａが、タッチパネル部１ｂに対してタッチ部２ａが正常に接触した場合（「〇」）であり、被接触情報４ｂが、タッチパネル部１ｂによるタッチ部２ａの接触を検知しない場合（「×」）には、検知機能判定部３ｂは、タッチパネル部１ｂの検知機能が有効ではないこと（「×」）を判定する。
【００２４】
なお、タッチ接触情報４ａが、タッチパネル部１ｂに対してタッチ部２ａが接触していない場合（「×」）には、検知機能判定部３ｂは、一旦、タッチパネル部１ｂの検出機能が有効ではないこと（「×」）を判定する。
【００２５】
このようなせり装置５は、画像を表示する表示部１ａと表示部１ａに設置されたタッチパネル部１ｂとを備える表示ユニット１と、タッチパネル部１ｂに接触するタッチ部２ａを備えるタッチパネルテストユニット２とを有している。さらに、せり装置５は、制御ユニット３において、タッチパネルテスト制御部３ａは、タッチ部２ａをタッチパネル部１ｂに接触させて、検知機能判定部３ｂは、タッチパネル部１ｂとタッチ部２ａとの接触状況を表す接触情報４に基づき、タッチパネル部１ｂの検知機能の有効性を判定する。
【００２６】
これにより、せり装置５のタッチパネル部１ｂの有効性を、タッチパネル部１ｂに実際にタッチすることなく即時に判定することができる。
特に、せり装置５が複数ある場合には、上記のようにして、せり装置５のタッチパネル部１ｂを即時にそれぞれ判定でき、時間、人手等のコストを掛けずに、タッチパネル部１ｂが有効であるか否かを判定することができる。
【００２７】
［第２の実施の形態］
第２の実施の形態では、第１の実施の形態のせり装置が複数の場合について、より具体的に説明する。
【００２８】
まず、複数のせり装置が設置されるせり会場について、図２を用いて説明する。
図２は、第２の実施の形態のせりシステムを説明する図である。
なお、図２では、せりシステム５０が構築されているせり会場の一部を図示している。
【００２９】
せりシステム５０は、せり装置１０ａ１〜１０ａ６，１０ｂ１〜１０ｂ６，１０ｃ１〜１０ｃ６，１０ｄ１〜１０ｄ６と、保守管理装置２０とを有している。なお、せり装置１０ａ１〜１０ａ６，１０ｂ１〜１０ｂ６，１０ｃ１〜１０ｃ６，１０ｄ１〜１０ｄ６は複数のせり装置のうちの一部である。
【００３０】
さらに、このようなせりシステム５０には、出品者が出品する出品物（中古車）の情報（年式、車名、走行距離、画像（映像）等）を設定する出品情報管理装置と、出品情報管理装置から設定された出品物（中古車）の情報を受信する出品情報受信サーバとを含んでいる。なお、出品情報管理装置は、保守管理装置２０から各種情報が設定される。さらに、せりシステムは、出品情報受信サーバからオークションの出品物の情報を受け付けて、当日のスケジュールに沿ってせり情報を複数のせり装置にそれぞれ通知するせりサーバを含んでいる。
【００３１】
せりシステム５０内では、互いに、（有線または無線の）ＬＡＮ（Local Area Network）により通信可能に接続されている。
せり会場内には、デスク５１ａ１〜５１ａ３，５１ｂ１〜５１ｂ３，５１ｃ１〜５１ｃ３，５１ｄ１〜５１ｄ３（並びに２脚の椅子）が縦方向及び横方向にそれぞれ配置されている。
【００３２】
また、デスク５１ａ１に対して２つのせり装置１０ａ１，１０ａ２がそれぞれ設置されている。同様にして、デスク５１ａ２，５１ａ３，５１ｂ１〜５１ｂ３，５１ｃ１〜５１ｃ３，５１ｄ１〜５１ｄ３にせり装置１０ａ３〜１０ａ６，１０ｂ１〜１０ｂ６，１０ｃ１〜１０ｃ６，１０ｄ１〜１０ｄ６がそれぞれ設置されている。
【００３３】
複数の購買者は各椅子にそれぞれ着席して、せり装置１０ａ１〜１０ａ６，１０ｂ１〜１０ｂ６，１０ｃ１〜１０ｃ６，１０ｄ１〜１０ｄ６を用いてせり（応札）を行うことができる。なお、以下ではせり装置１０ａ１〜１０ａ６，１０ｂ１〜１０ｂ６，１０ｃ１〜１０ｃ６，１０ｄ１〜１０ｄ６を特に限定しない場合には、せり装置１０と表す場合がある。また、デスク５１ａ１〜５１ａ３，５１ｂ１〜５１ｂ３，５１ｃ１〜５１ｃ３，５１ｄ１〜５１ｄ３についても特に限定しない場合には、デスク５１と表す場合がある。
【００３４】
また、せり会場内には、せり装置１０が設置されたデスク５１とは別に、（椅子並びに）デスク５２が設けられており、デスク５２上に保守管理装置２０が設置されている。
せり主催の管理者は、保守管理装置２０を用いてせりの運用、せり装置１０等の保守、管理を行うことができる。保守管理装置２０は、全てのせり装置１０の種別、接続状況、着席状況等を管理している。
【００３５】
次に、このようなせりシステム５０に含まれるせり装置１０及び保守管理装置２０について説明する。
まず、せり装置１０のハードウェア構成例について図３〜図５を用いて説明する。
【００３６】
図３は、第２の実施の形態のせり装置のハードウェア構成の一例を説明する図である。
また、図４は、第２の実施の形態のせり装置の一例を示す正面図であり、図５は、第２の実施の形態のせり装置の一例を示す上面図である。なお、図５は、タッチパネルテストユニット１４の上面を透視的に表示している。
【００３７】
せり装置１０は、図４及び図５に示されるように、せり装置１０で実行される処理の制御を行う制御ユニット１１と、せりを実行する際に購買者にせりの案内、出品商品等の画面を表示する表示部１２ａ及び購買者からの操作入力を受け付けるタッチパネル部１２ｂを含む表示ユニット１２とを有する。なお、表示ユニット１２は、デスク５１上に設置されている。タッチパネル部１２ｂは、静電容量方式、赤外線方式、抵抗膜方式等の既知であって従来の方式が適宜適用される。制御ユニット１１は、例えば、デスク５１の下部に設置されている。このようなタッチパネル部１２ｂは、後述するタッチ部１４ｂにより適切に接触されたか否か等の情報（被接触情報）を制御ユニット１１に通知する。
【００３８】
せり装置１０は、さらに、ＩＤ（IDentification）カードを挿入・排出するカード処理ユニット１３と、表示ユニット１２のタッチパネル部１２ｂの有効性のテストを行うタッチパネルテストユニット１４と、購買者が応札を実行する際のコントローラである応札ユニット１５とを有する。タッチパネルテストユニット１４及び応札ユニット１５は、デスク５１上の表示ユニット１２の側部に設置されている。また、応札ユニット１５は、例えば、デスク５１の裏面に設置されている。
【００３９】
制御ユニット１１は、プロセッサ１１ａと、ＲＡＭ（Random Access Memory）１１ｂと、ＨＤＤ（Hard Disk Drive）１１ｃと、グラフィックインタフェース１１ｄと、通信インタフェース１１ｅと，入出力インタフェース１１ｆと、記憶媒体インタフェース１１ｇとを備えており、これらの各部はバス１１ｈで相互に接続されている。
【００４０】
プロセッサ１１ａは、せり装置１０全体を制御する。プロセッサ１１ａは、マルチプロセッサであってもよい。プロセッサ１１ａは、例えば、ＣＰＵ、ＭＰＵ（Micro Processing Unit）、ＤＳＰ（Digital Signal Processor）、ＡＳＩＣ（Application Specific Integrated Circuit）、または、ＰＬＤ（Programmable Logic Device）である。また、プロセッサ１１ａは、ＣＰＵ、ＭＰＵ、ＤＳＰ、ＡＳＩＣ、ＰＬＤのうちの２以上の要素の組み合わせであってもよい。
【００４１】
ＲＡＭ１１ｂは、せり装置１０の主記憶装置として使用される。ＲＡＭ１１ｂには、プロセッサ１１ａに実行させるＯＳ（Operating System）のプログラム、アプリケーションプログラムの少なくとも一部が一時的に記憶される。また、ＲＡＭ１１ｂには、プロセッサ１１ａによる処理に必要な各種データが記憶される。
【００４２】
ＨＤＤ１１ｃは、せり装置１０の補助記憶装置として使用される。ＨＤＤ１１ｃには、ＯＳのプログラム、アプリケーションプログラム、各種データが記憶される。なお、補助記憶装置としては、ＳＳＤ（Solid State Drive）等の他の種類の記憶装置を使用することもできる。また、ＨＤＤ１１ｃには、後述する接触情報等が保持される。
【００４３】
グラフィックインタフェース１１ｄは、プロセッサ１１ａからの命令に従って、画像を表示ユニット１２の表示部１２ａに表示させる。表示部１２ａとしては、液晶ディスプレイ、有機ＥＬ（Electro Luminescence）ディスプレイ等がある。
【００４４】
通信インタフェース１１ｅは、通信によりせり装置１０と保守管理装置２０と各種サーバ等との間でデータの送受信を行う。
入出力インタフェース１１ｆには、表示ユニット１２のタッチパネル部１２ｂと、カード処理ユニット１３と、タッチパネルテストユニット１４と、応札ユニット１５とが接続されている。入出力インタフェース１１ｆは、バス１１ｈを介してプロセッサ１１ａからの制御信号を各ユニットに通知し、各ユニットからの信号を同様にプロセッサ１１ａに通知する。
【００４５】
記憶媒体インタフェース１１ｇは、磁気やレーザ等を利用して記憶媒体１１ｇ１に記録されたデータの読み取りや書き込みを行う。また、記憶媒体インタフェース１１ｇは、半導体メモリ等の記憶媒体に記録されたデータの読み取りを行うものであってもよい。記憶媒体１１ｇ１とは、例えば、光ディスクや、フラッシュメモリ等の半導体メモリ等を含む。光ディスクは、光の反射によって読み取り可能なようにデータが記録された可搬型の記録媒体である。光ディスクには、ＤＶＤ（Digital Versatile Disc）、ＤＶＤ−ＲＡＭ、ＣＤ−ＲＯＭ（Compact Disc − Read Only Memory）、ＣＤ−Ｒ（Recordable）／ＲＷ（ReWritable）等がある。
【００４６】
さらに、記憶媒体インタフェース１１ｇは、せり装置１０に周辺機器を接続するための通信インタフェースとしても用いることができる。例えば、記憶媒体インタフェース１１ｇには、メモリ装置やメモリリーダライタを接続することができる。メモリ装置は、記憶媒体インタフェース１１ｇとの通信機能を搭載した記録媒体である。メモリリーダライタは、メモリカードへのデータの書き込み、または、メモリカードからのデータの読み出しを行う装置である。メモリカードは、カード型の記録媒体である。
【００４７】
カード処理ユニット１３は、購買者により挿入されたＩＤカードを所定の位置に搬送して、ＩＤカードに対して各購買者を識別するＩＤ情報の読み出し等の処理を実行する。せり装置１０は、カード処理ユニット１３からＩＤ情報を取得することで、購買者の着席を識別することができる。また、カード処理ユニット１３は、読み出し等の処理が完了したら、ＩＤカードを搬送させて放出して顧客に返却する。
【００４８】
タッチパネルテストユニット１４は、制御ユニット１１からの制御信号に基づき、図５に示されるように、支軸１４ｃに固定されたＪ字型のアーム部１４ａを回転させて、表示ユニット１２のタッチパネル部１２ｂに、アーム部１４ａに取り付けられているタッチ部１４ｂをタッチさせる。また、タッチパネルテストユニット１４は、タッチ部１４ｂがタッチパネル部１２ｂに対して適切に接触したか否か等の情報（タッチ接触情報）を制御ユニット１１に通知する。なお、タッチパネルテストユニット１４の構成及びタッチ機構の詳細については後述する。また、タッチパネルテストユニット１４は、カード処理ユニット１３と一体的に構成されている。
【００４９】
応札ユニット１５は、例えば、表示ユニット１２の表示部１２ａに表示される出品物の表示を切り替えるための操作ボタン、表示ユニット１２の表示部１２ａに表示される出品物に対する応札を受け付け、または、キャンセルするための操作ボタン等を備えている。
【００５０】
以上のようなハードウェア構成によって、せり装置１０の処理機能を実現することができる。
ここでタッチパネルテストユニット１４の構成及びタッチ機構の詳細について図６を用いて説明する。
【００５１】
図６は、第２の実施の形態のせり装置のタッチパネルテストユニットの動作を説明する図である。なお、図６は、図５の上面図におけるタッチパネルテストユニット１４の近傍を拡大して表示している。また、図６（Ａ）は、タッチ部１４ｂを筐体１４ｄに収納している場合を、図６（Ｂ）は、タッチ部１４ｂを筐体１４ｄから移動させてタッチパネル部１２ｂに接触させている場合をそれぞれ表示している。
【００５２】
まず、タッチパネルテストユニット１４は、Ｊ字状のアーム部１４ａと、アーム部１４ａの一端部に取り付けられたタッチ部１４ｂと、アーム部１４ａの他端部に固着された支軸１４ｃとが筐体１４ｄ内に収納されて構成されている。なお、支軸１４ｃは、図４に（破線で）示したようにアーム部１４ａ（の回転面）に対して垂直に設置されている。このような支軸１４ｃは、タッチパネルテストユニット１４内のモータ（図示を省略）の回転に応じて、図６（Ｂ）に示すような、正転方向ａまたは反転方向ｂにそれぞれ回転する。また、タッチ部１４ｂは、タッチパネル部１２ｂに適用されている方式（静電容量、赤外線、抵抗膜等）に応じて、タッチパネル部１２ｂに接触してタッチパネル部１２ｂが検知できるような材質が適用されている。そこで、タッチ部１４ｂは、例えば、導体が適用されることで、少なくとも静電容量方式、赤外線方式のタッチパネル部１２ｂで検知されるようになる。
【００５３】
さらに、タッチ部１４ｂのアーム部１４ａの側にタッチセンサ１４ｅ１が、アーム部１４ａの外側にタッチセンサ１４ｅ２がそれぞれ取り付けられている。
このようなタッチパネルテストユニット１４では、制御ユニット１１からのタッチパネルテスト開始信号を受け付けると、内蔵されているモータを正転方向ａに回転させるに伴って、支軸１４ｃも正転方向ａに回転させる。これに伴ってアーム部１４ａも正転方向ａに回転して、タッチ部１４ｂがタッチパネル部１２ｂに接触する（図６（Ｂ））。
【００５４】
すると、タッチセンサ１４ｅ１がタッチ部１４ｂのタッチパネル部１２ｂに対する接触（タッチ接触情報）を検知すると、モータの回転が反転方向ｂとなるに伴って、支軸１４ｃも反転方向ｂに回転させる。これに伴ってアーム部１４ａも反転方向ｂに回転して、タッチ部１４ｂはタッチパネル部１２ｂから離れて、アーム部１４ａに取り付けられたタッチセンサ１４ｅ２が筐体１４ｄ（の内壁）に接触する（図６（Ａ））。
【００５５】
すると、タッチセンサ１４ｅ２が筐体１４ｄ（の内壁）に対する接触を検知すると、モータの回転が停止されるに伴って、アーム部１４ａが筐体１４ｄ内に収納される。
なお、上記モータの回転の制御は、例えば、タッチパネルテストユニット１４内に内蔵したプロセッサによりタッチセンサ１４ｅ１，１４ｅ２の検知結果を利用して行われるようにすることができる。
【００５６】
または、タッチパネルテストユニット１４内に例えば、図７及び図８に示される回路を構成してもモータの回転の制御を行うことができる。
図７は、第２の実施の形態のせり装置のタッチパネルテストユニットの回転機構を実現する回路図である。また、図８は、第２の実施の形態のせり装置のモータの回転機構を実現する回路図である。
【００５７】
タッチパネルテストユニット１４内には、図７及び図８に示される回路が構成されている。
図７に示される回路図によれば、コネクタ１，２にそれぞれ接続される回路が構成されている。
【００５８】
コネクタ１側に電源が入ると（図７のスイッチｒ１０１，ｒ１０２オン）、図８のモータに正転方向に電流が流れて、モータが正転方向に回転する。この際、リレー（ＲＬ１）によりスイッチｒ１０４がオンとなる。
【００５９】
これに伴って、図６に示したようにアーム部１４ａが正転方向ａに回転して、タッチ部１４ｂがタッチパネル部１２ｂに接触していることをタッチセンサ１４ｅ１が検知している間、図７のスイッチＳＷ１がオンとなる。すると、図８のモータに反転方向に電流が流れて、モータが反転方向に回転する。この際、リレー（ＲＬ２）によりスイッチｒ１０５がオンとなる。
【００６０】
これに伴って、図６に示したようにアーム部１４ａが反転方向ｂに回転する。この際、スイッチＳＷ１はオフとなる。そして、タッチ部１４ｂがタッチパネル部１２ｂに接触していることをタッチセンサ１４ｅ２が検知すると、図７のスイッチＳＷ２が入る。
【００６１】
これにより、モータの回転が停止する。
なお、上記の図７及び図８によるモータの回転機構は一例であって、他の回路構成であっても構わない。
【００６２】
次に、保守管理装置２０のハードウェア構成例について図９を用いて説明する。
図９は、第２の実施の形態の保守管理装置のハードウェア構成の一例を示す図である。
保守管理装置２０は、図９に示されるように、保守管理装置２０で実行される処理の制御を行う制御ユニット２１と、管理者に案内、保守管理等の画面を表示する表示部２２ａ及び管理者からの操作入力を受け付けるタッチパネル部２２ｂを含む表示ユニット２２とを有する。なお、表示ユニット２２は、デスク５２上に設置されている。
【００６３】
保守管理装置２０は、さらに、ＩＤカードを挿入・排出するカード処理ユニット２３を有する。
なお、制御ユニット２１、表示ユニット２２、カード処理ユニット２３は、せり装置１０の制御ユニット１１、表示ユニット１２、カード処理ユニット１３と同様の構成であるために、これらの詳細な説明は省略する。
【００６４】
次に、せりシステムで実行されるタッチパネルテスト処理について図１０及び図１１〜図１３を用いて説明する。
図１０は、第２の実施の形態のせりシステムで実行されるタッチパネルテスト処理を示すフローチャートである。
【００６５】
また、図１１は、第２の実施の形態の保守管理装置の管理画面の表示例を示す図である。
さらに、図１２及び図１３は、第２の実施の形態の保守管理装置におけるタッチパネルテスト状態画面の表示例を示す図である。
【００６６】
管理者は、全てのせり装置１０及び保守管理装置２０を含むせりシステム５０を起動する。なお、保守管理装置２０にはあらかじめ全てのせり装置１０の座席番号及び装置種別が記憶されている。
【００６７】
このような保守管理装置２０は、起動した全てのせり装置１０から接続状況、着座状況等が通知されると、表示ユニット２２の表示部２２ａに、例えば、図１１に示されるような、「せり装置状態一覧」の画像を表示する。
【００６８】
この「せり装置状態一覧」の画像には、せり装置１０の状態（座席番号、装置種別、接続状況、着座状況等）を表示する領域２２ａ１と、せり（オークション）の実施に関するファンクションボタン（オークション開始、外部接続開始等）を表示する領域２２ａ２とを備える。
【００６９】
管理者は、この画像の領域２２ａ２の「タッチパネルテスト」をタッチすると、保守管理装置２０（制御ユニット２１のプロセッサ２１ａ）は以下の処理を実行する。
［ステップＳ１１］  保守管理装置２０は全てのせり装置１０のうちの１つを選択する。
【００７０】
［ステップＳ１２］  保守管理装置２０は、選択したせり装置１０にタッチパネル部１２ｂのタッチパネル有効性判定処理を実行させる。
保守管理装置２０は、せり装置１０の制御ユニット１１にタッチパネル有効性判定処理の実行要求を通知すると、制御ユニット１１はタッチパネル部１２ｂのタッチパネル有効性判定処理を実行する。このようにしてタッチパネル有効性判定処理を行ったせり装置１０は、その結果を保守管理装置２０に通知する。
【００７１】
なお、ステップＳ１２のせり装置１０で実行される具体的な処理については後述する。
［ステップＳ１３］  保守管理装置２０は、表示ユニット２２の表示部２２ａにせり装置１０のタッチパネル有効判定処理によるタッチパネルテスト状態一覧の画像を表示する。
【００７２】
このような画像は、図１２に例示するように、全てのせり装置１０のタッチパネルテスト状態を表示する領域２２ａ３と、元の画面に戻るためのボタンを表す領域２２ａ４と、現在タッチパネルテスト中であることを表す領域２２ａ５とを含んでいる。全てのせり装置１０のタッチパネルテスト状態を表示する領域２２ａ３には、例えば、せり装置１０の座席番号、装置種別、テスト状況、画面遷移、テスト結果、状態等を含んでいる。なお、テスト状況は、タッチパネルテストの現在の進捗状況であり、例えば、「テスト開始」、「テスト準備中」等が表示される。画面遷移は、タッチパネルテストユニット１４によりタッチパネルテストが実施された表示ユニット１２の表示部１２ａが表示する画像の遷移状況であり、例えば、「画像遷移中」、「画像遷移完了」が表示される。テスト結果は、タッチパネルテストの結果を表し、例えば、「テスト中」、「タッチパネルＯＫ」、「タッチパネルＮＧ」等が表示される。状態は、テスト結果を踏まえたタッチパネル部１２ｂの状態であり、例えば、「テスト完了」、「要調査」等が表示される。
【００７３】
後述するように、ステップＳ１２は全てのせり装置１０にそれぞれ実行される。せり装置１０のタッチパネルテストが実施されてタッチパネルテストの状態ごとに、図１３に例示されるように、領域２２ａ３内のせり装置１０のタッチパネルテスト状態が更新される。
【００７４】
［ステップＳ１４］  保守管理装置２０は、タッチパネル有効性判定処理を行っていないせり装置１０が他にあるか判定する。
次の処理は、タッチパネル有効性判定処理を行っていないせり装置１０が他にある場合には、ステップＳ１１に再び進められ、タッチパネル有効性判定処理を行っていないせり装置１０が他にない（全てのせり装置１０のタッチパネル有効性判定処理が完了した）場合には、ステップＳ１５に進められる。
【００７５】
［ステップＳ１５］  保守管理装置２０は、全てのせり装置１０のタッチパネル有効性判定処理結果において、全てのせり装置１０のタッチパネル部１２ｂが有効であるか否かを判定する。
【００７６】
次の処理は、保守管理装置２０は、全てのせり装置１０のタッチパネル部１２ｂが有効である場合には、ステップＳ１６の処理に進められ、全てのせり装置１０のタッチパネル部１２ｂが有効ではない場合には、タッチパネルテスト処理を終了する。
【００７７】
なお、このようにしてタッチパネルテスト処理が終了すると、管理者は、表示ユニット２２の表示部２２ａに表示されているせり装置１０の状態を視認して、タッチパネル部１２ｂが有効ではないせり装置１０の表示ユニット１２を交換し、または、そのような表示ユニット１２を有するせり装置１０の利用を中止する。
【００７８】
［ステップＳ１６］  保守管理装置２０は、全てのせり装置１０を用いたせりの運用開始処理を実行する。
以後、せりシステム５０のせり装置１０による応札の受け付けが行われる状態となる。
【００７９】
このようにせりシステム５０では、保守管理装置２０からの要求に応じて複数のせり装置１０がタッチパネルテストユニット１４によりタッチパネル部１２ｂの有効性をそれぞれ即座に判定することができる。
【００８０】
これにより、複数のせり装置１０のタッチパネル部１２ｂの有効性の判定を、時間、人手等のコストを掛けずに行うことができる。
次に、上記タッチパネル処理におけるタッチパネル有効性判定処理（ステップＳ１２）の詳細について図１４並びに図１５及び図１６を用いて説明する。
【００８１】
図１４は、第２の実施の形態のせり装置で実行されるタッチパネル有効性判定処理を示すフローチャートである。
また、図１５及び図１６は、第２の実施の形態のせり装置のタッチパネルテスト結果に応じた表示例を示す図である。
【００８２】
なお、図１５（Ａ）は、タッチパネルテスト画面、図１５（Ｂ）は、タッチパネル部１２ｂが有効である場合を示す画面をそれぞれ示している。また、図１６（Ａ）は、タッチパネル部１２ｂが無効である場合を示す画面、図１６（Ｂ）は、タッチパネルテストユニット１４が無効である場合を示す画面をそれぞれ表している。また、図１５（Ｂ）及び図１６（Ａ），（Ｂ）では、表示部１２ａを斜線で表しているが、それぞれ、青色、赤色、黄色であるとする。
【００８３】
ステップＳ１１（図１０）で選択されたせり装置１０では、制御ユニット１１が、保守管理装置２０からタッチパネル有効性判定処理の実行要求を受け付けると、以下の処理を実行する。
【００８４】
［ステップＳ１２ａ］  せり装置１０の制御ユニット１１は、表示ユニット１２の表示部１２ａにタッチパネルテスト画面を表示させる。
タッチパネルテスト画面は、図１５（Ａ）に示されるように、全面が同一色（例えば、白色）であり、タッチパネルテストユニット１４のタッチ部１４ｂを接触される箇所の領域１２ａ１が設定されており、当該領域１２ａ１は全面とは異なる色が付されている。
【００８５】
このようにタッチパネルテスト画面は、せり装置１０のタッチパネル部１２ｂに対して、タッチ部１４ｂによりタッチ（接触）される箇所をあらかじめ設定しておく。仮に、タッチパネル部１２ｂに対して、タッチ部１４ｂにより接触される箇所をあらかじめ設定せずに、単に、タッチパネル部１２ｂ（の領域内のいずれか）に対してタッチ部１４ｂを接触させるようにする場合について説明する。例えば、タッチパネル部１２ｂが赤外線方式の場合には、受光部に粉塵等が付着していると、タッチ部１４ｂの接触に寄らず、タッチを検出してしまう場合がある。このため、タッチパネル部１２ｂがタッチ部１４ｂが接触されていなくても、粉塵等の付着による受光部のために何かしらのタッチを検知してしまい、正確なタッチ検知ができない場合が生じてしまう。
【００８６】
そこで、せり装置１０のタッチパネル部１２ｂのタッチパネルテスト画面ではタッチ部１４ｂによりタッチ（接触）される箇所をあらかじめ設定することで、設定された箇所に対して適切にタッチ部１４ｂがタッチしているか否かを判定することができるようになる。
【００８７】
［ステップＳ１２ｂ］  制御ユニット１１は、せり装置１０のタッチパネルテストユニット１４を駆動させる。すなわち、タッチパネルテストユニット１４において、支軸１４ｃを正転方向ａに回転させて、回転するアーム部１４ａを介してタッチ部１４ｂをタッチパネル部１２ｂに接触させる（図６を参照）。
【００８８】
［ステップＳ１２ｃ］  制御ユニット１１は、ステップＳ１２ｂにおけるタッチ部１４ｂがタッチパネル部１２ｂに対して正常に接触したか否かを判定する。なお、制御ユニット１１は、タッチパネルテストユニット１４のタッチセンサ１４ｅ１の検知結果に応じて、タッチ部１４ｂのタッチパネル部１２ｂに対する接触を検知する。
【００８９】
次の処理は、タッチ部１４ｂがタッチパネル部１２ｂに対して正常に接触したことを判定するとステップＳ１２ｄに進められ、タッチ部１４ｂがタッチパネル部１２ｂに対して正常に接触していないことを判定するとステップＳ１２ｊに進められる。
【００９０】
なお、タッチパネルテストユニット１４は、既述の通り、タッチ部１４ｂが正常にタッチパネル部１２ｂに接触すると、アーム部１４ａを反転方向ｂに回転させる。
［ステップＳ１２ｄ］  制御ユニット１１は、表示ユニット１２のタッチパネル部１２ｂがタッチ部１４ｂの接触を正常に検知したか否かを判定する。
【００９１】
次の処理は、表示ユニット１２のタッチパネル部１２ｂがタッチ部１４ｂの接触を正常に検知した場合にはステップＳ１２ｅに進められ、表示ユニット１２のタッチパネル部１２ｂがタッチ部１４ｂの接触を正常に検知しなかった場合にはステップＳ１２ｈに進められる。
【００９２】
［ステップＳ１２ｅ］  制御ユニット１１は、タッチパネルテストユニット１４によりタッチパネル部１２ｂに接触して反転方向ｂに回転するタッチ部１４ｂを備えるアーム部１４ａが筐体１４ｄ内に正常に格納されたか否かを判定する。なお、制御ユニット１１は、タッチパネルテストユニット１４のタッチセンサ１４ｅ２の筐体１４ｄに対する接触の検知に応じて、タッチ部１４ｂを備えるアーム部１４ａの筐体１４ｄ内の正常な収納を検知する。
【００９３】
次の処理は、制御ユニット１１がタッチ部１４ｂを備えるアーム部１４ａが筐体１４ｄ内に正常に格納されたことを判定するとステップＳ１２ｆに進められ、タッチ部１４ｂを備えるアーム部１４ａが筐体１４ｄ内に正常に格納されていないことを判定するとステップＳ１２ｊに進められる。
【００９４】
［ステップＳ１２ｆ］  制御ユニット１１は、せり装置１０の表示ユニット１２のタッチパネル部１２ｂが有効であることを判定する。
そして、制御ユニット１１は、この旨を保守管理装置２０に通知する。
【００９５】
［ステップＳ１２ｇ］  制御ユニット１１は、せり装置１０の表示ユニット１２の表示部１２ａにタッチパネル部１２ｂが有効であることを表す有効画面を表示させる。
このような画面は、図１５（Ｂ）に例示されるように、全面が青色で表示される。
【００９６】
［ステップＳ１２ｈ］  制御ユニット１１は、せり装置１０の表示ユニット１２のタッチパネル部１２ｂが不良であることを判定する。
そして、制御ユニット１１は、この旨を保守管理装置２０に通知する。
【００９７】
［ステップＳ１２ｉ］  制御ユニット１１は、せり装置１０の表示ユニット１２の表示部１２ａにタッチパネル部１２ｂが不良であることを表す不良画面を表示させる。
このような画面は、図１６（Ａ）に例示されるように、全面が赤色で表示される。
【００９８】
［ステップＳ１２ｊ］  制御ユニット１１は、せり装置１０のタッチパネルテストユニット１４が不良であることを判定する。
そして、制御ユニット１１は、この旨を保守管理装置２０に通知する。
【００９９】
［ステップＳ１２ｋ］  制御ユニット１１は、せり装置１０のタッチパネルテストユニット１４が不良であることを表す不良画面を表示させる。
このような画面は、図１６（Ｂ）に例示されるように、全面が黄色で表示される。
【０１００】
このようにタッチパネル部１２ｂに対するタッチパネルテストユニット１４によるタッチパネルテストの判定結果に応じてせり装置１０の表示ユニット１２の表示部１２ａの表示色を変化させる。特に、タッチパネル部１２ｂが有効である場合には、青色、タッチパネル部１２ｂが不良である場合には、赤色とすることで、複数のせり装置１０から不良であるタッチパネル部１２ｂをすぐに見つけられる。また、表示ユニット１２の表示部１２ａを黄色に表示させる場合には、タッチパネルテストユニット１４が不良であって、タッチパネル部１２ｂが有効であるか否かが不明であることがわかるようになる。
【０１０１】
したがって、上記せりシステム５０では、複数のせり装置１０と保守管理装置２０とを備えている。せり装置１０は、画像を表示する表示部１２ａと表示部１２ａに設置されたタッチパネル部１２ｂとを備える表示ユニット１２と、タッチパネル部１２ｂに接触するタッチ部１４ｂを備えるタッチパネルテストユニット１４とを有している。このようなせり装置１０は、保守管理装置２０からタッチパネルテスト有効性判定処理の実行要求を受け付ける。すると、せり装置１０の制御ユニット１１はタッチパネルテストユニット１４においてタッチ部１４ｂをタッチパネル部１２ｂに移動させる。
【０１０２】
この際、タッチ部１４ｂがタッチパネル部１２ｂに正常に接触し、タッチパネル部１２ｂもタッチ部１４ｂの接触を正常に検知し、さらに、タッチ部１４ｂがタッチパネルテストユニット１４の筐体１４ｄ内に正常に格納されると、制御ユニット１１は、タッチパネル部１２ｂは有効であることを判定して、表示ユニット１２の表示部１２ａに青色を表示させる。
【０１０３】
また、タッチ部１４ｂがタッチパネル部１２ｂに正常に接触し、タッチパネル部１２ｂがタッチ部１４ｂの接触を正常に検知できず、さらに、タッチ部１４ｂがタッチパネルテストユニット１４の筐体１４ｄ内に正常に格納されると、制御ユニット１１は、タッチパネル部１２ｂは不良であることを判定して、表示ユニット１２の表示部１２ａに赤色を表示させる。
【０１０４】
また、タッチ部１４ｂがタッチパネル部１２ｂに正常に接触せず、また、タッチ部１４ｂがタッチパネルテストユニット１４の筐体１４ｄ内に正常に格納されない場合には、制御ユニット１１は、タッチパネルテストユニット１４が不良であることを判定して、表示ユニット１２の表示部１２ａに黄色を表示させる。
【０１０５】
このようなタッチパネルテスト有効性判定処理を全てのせり装置１０で実行させる。
このため、複数のせり装置１０のタッチパネル部１２ｂの有効性を即時に時間、人手等のコストを掛けずにそれぞれ判定することができる。
【０１０６】
また、タッチパネル部１２ｂに対するタッチパネルテスト有効性判定処理結果に応じて、せり装置１０の表示ユニット１２の表示部１２ａに表示させる画像を異ならせるために、複数のせり装置１０の中からタッチパネル部１２ｂが有効か否かを見つけることができるようになる。
【０１０７】
上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１０８】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ、ＤＶＤ−ＲＡＭ、ＣＤ（Compact Disc）−ＲＯＭ、ＣＤ−Ｒ／ＲＷ等がある。光磁気記憶媒体には、ＭＯ（Magneto - Optical disk）等がある。半導体メモリには、ＵＳＢ（Universal Serial Bus）メモリ等のフラッシュメモリがある。
【０１０９】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１１０】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１１１】
また、プログラムで記述された処理の一部または全てを、電子回路に置き換えることが可能である。例えば、上記の処理機能の少なくとも一部を、ＤＳＰ、ＡＳＩＣ、ＰＬＤ等の電子回路で実現してもよい。
【符号の説明】
【０１１２】
１  表示ユニット
１ａ  表示部
１ｂ  タッチパネル部
２  タッチパネルテストユニット
２ａ  タッチ部
３  制御ユニット
３ａ  タッチパネルテスト制御部
３ｂ  検知機能判定部
４  接触情報
４ａ  タッチ接触情報
４ｂ  被接触情報
５  せり装置
【図１】
2019101621.tif 000003
【図２】
2019101621.tif 000004
【図３】
2019101621.tif 000005
【図４】
2019101621.tif 000006
【図５】
2019101621.tif 000007
【図６】
2019101621.tif 000008
【図７】
2019101621.tif 000009
【図８】
2019101621.tif 000010
【図９】
2019101621.tif 000011
【図１０】
2019101621.tif 000012
【図１１】
2019101621.tif 000013
【図１２】
2019101621.tif 000014
【図１３】
2019101621.tif 000015
【図１４】
2019101621.tif 000016
【図１５】
2019101621.tif 000017
【図１６】
2019101621.tif 000018